(57)【要約】【課題】傷の発生を抑制しつつ、繰り返し安定して製版品質を維持して、平版印刷版原版の積み替え作業が行える平版印刷版原版積み替え用治具、及びそれを用いた平版印刷版原版の積み替え方法を提供すること。【解決手段】第１載置台に積載された第１合紙無し平版印刷版原版を第２載置台に積載された第２合紙無し平版印刷版原版上に積層して、平版印刷版原版の積み替えをする際、前記第２合紙無し平版印刷版原版の少なくとも一部とその上に積層する前記第１合紙無し平版印刷版原版の少なくとも一部との間に介在させる平版印刷版原版積み替え用冶具であって、ポリプロピレンを含んで構成されることを特徴とする平版印刷版原版積み替え用冶具である。そして、これを用いた平版印刷版原版の積み替え方法である。【選択図】図４
2009083303.tif 000002
【特許請求の範囲】
【請求項１】
第１載置台に積載された第１合紙無し平版印刷版原版を第２載置台に積載された第２合紙無し平版印刷版原版上に積層して、合紙無し平版印刷版原版の積み替えをする際、前記第２合紙無し平版印刷版原版の少なくとも一部とその上に積層する前記第１合紙無し平版印刷版原版の少なくとも一部との間に介在させる平版印刷版原版積み替え用冶具であって、
ポリプロピレンを含んで構成されることを特徴とする平版印刷版原版積み替え用冶具。
【請求項２】
第１合紙無し平版印刷版原版が積載された第１載置台、及び第２合紙無し平版印刷版原版が積載された第２載置台を準備する工程と、
前記第２載置台に積載された前記第２合紙無し平版印刷版原版上の少なくとも１部に、請求項１に記載の平版印刷版原版積み替え用冶具を配置する工程と、
前記平版印刷版原版積み替え用冶具が配置された前記第２合紙無し平版印刷版原版上に、前記第１合紙無し平版印刷版原版を積層して、積み替えをする工程と、
前記第１合紙無し平版印刷版原版と前記第２合紙無し平版印刷版原版との間に介在する前記平版印刷版原版積み替え用冶具を取り出す工程と、
を少なくとも有することを特徴とする平版印刷版原版の積み替え方法。
【請求項３】
前記平版印刷版原版積み替え用冶具を配置する工程において、前記平版印刷版原版積み替え用冶具を、前記第２合紙無し平版印刷版原版の２つの長辺側の両端部にそれぞれ配置することを特徴とする請求項２に記載の平版印刷版原版の積み替え方法。
【発明の詳細な説明】
【技術分野】
【０００１】
本発明は、平版印刷版原版積み替え用治具、及び平版印刷版原版の積み替え方法に関するものであり、特に、ＣＴＰ（コンピューター トゥ プレート）製版システム専用平版印刷版原版の積み替え用治具、及び積み替え方法に関する。
【背景技術】
【０００２】
新聞用平版印刷版原版（以下、コンベンショナルＰＳ版と称する）で従来行われている積み替え作業は、コンベンショナルＰＳ版では表面が強固で耐傷性が高く、問題なく行われていた。
【０００３】
近年、新聞印刷には、ＣＴＰ製版システムが用いられるが、このＣＴＰ製版システム専用平版印刷版原版（以下、単に、ＣＴＰ製版システム専用平版印刷版原版称する。）は、耐傷性が弱く合紙を平版印刷版原版の間に入れ用いられている（例えば、特許文献１）。
【０００４】
ＣＴＰ製版システムで行われている積み替え作業は、平版印刷版原版に合紙を入れている為、コンベンショナルＰＳ版同様に行われている。
【０００５】
一方で、近年、省資源の観点から、合紙を用いない平版印刷版原版の開発が要望されている。
【特許文献１】特開２００６−６２３２２
【発明の開示】
【発明が解決しようとする課題】
【０００６】
しかしながら、合紙を用いない合紙無し平版印刷版原版の場合、上記積み替え作業の際、コンベンショナルＰＳ版と同様に扱うと、平版印刷版原版に傷が生じる恐れがあり、改善が望まれている。
【０００７】
そこで、本発明の課題は、傷の発生を抑制しつつ、繰り返し安定して製版品質を維持して、平版印刷版原版の積み替え作業が行える平版印刷版原版積み替え用治具、及びそれを用いた平版印刷版原版の積み替え方法を提供することである。
【課題を解決するための手段】
【０００８】
本発明者は、上記課題を解決すべく鋭意検討した結果、以下に示す手段により上記課題が解決されることを見出し、本発明を完成するに至った。即ち、
【０００９】
請求項１に係る発明は、
第１載置台に積載された第１合紙無し平版印刷版原版を第２載置台に積載された第２合紙無し平版印刷版原版上に積層して、合紙無し平版印刷版原版の積み替えをする際、前記第２合紙無し平版印刷版原版の少なくとも一部とその上に積層する前記第１合紙無し平版印刷版原版の少なくとも一部との間に介在させる平版印刷版原版積み替え用冶具であって、
ポリプロピレンを含んで構成されることを特徴とする平版印刷版原版積み替え用冶具である。
【００１０】
請求項２に係る発明は、
第１合紙無し平版印刷版原版が積載された第１載置台、及び第２合紙無し平版印刷版原版が積載された第２載置台を準備する工程と、
前記第２載置台に積載された前記第２合紙無し平版印刷版原版上の少なくとも１部に、請求項１に記載の平版印刷版原版積み替え用冶具を配置する工程と、
前記平版印刷版原版積み替え用冶具が配置された前記第２合紙無し平版印刷版原版上に、前記第１合紙無し平版印刷版原版を積層して、積み替えをする工程と、
前記第１合紙無し平版印刷版原版と前記第２合紙無し平版印刷版原版との間に介在する前記平版印刷版原版積み替え用冶具を取り出す工程と、
を少なくとも有することを特徴とする平版印刷版原版の積み替え方法である。
【００１１】
請求項３に係る発明は、
前記平版印刷版原版積み替え用冶具を配置する工程において、前記平版印刷版原版積み替え用冶具を、前記第２合紙無し平版印刷版原版の２つの長辺側の両端部にそれぞれ配置することを特徴とする請求項２に記載の平版印刷版原版の積み替え方法である。
【発明の効果】
【００１２】
本発明によれば、傷の発生を抑制しつつ、繰り返し安定して製版品質を維持して、平版印刷版原版の積み替え作業が行える平版印刷版原版積み替え用治具、及びそれを用いた平版印刷版原版の積み替え方法を提供することができる。
【発明を実施するための最良の形態】
【００１３】
以下、本発明の実施形態について図面を参照しつつ説明する。なお、実質的に同一の機能・作用を有する部材には、全図面を通して同じ符号を付与し、重複する説明は省略することがある。
【００１４】
図１及び図２は、本実施形態に係る平版印刷版原版の積み替え方法を説明するための工程図である。図３は、本実施形態に係る平版印刷版原版積み替え用治具（非折り曲げ時）を示す２面図であり、（Ａ）は側面図、（Ｂ）は平面図を示す。図４は、本実施形態に係る平版印刷版原版積み替え用治具（折り曲げ時）を示す斜視図である。
【００１５】
本実施形態に係る平版印刷版原版の積み替え方法は、残量が少なくなった平版印刷版原版（第１合紙無し平版印刷版源版：以下、残平版印刷版原版１０Ａと称する。）が積載されたスキッド（第１載置台：以下、残スキッド１２Ａと称する）から、残平版印刷版原版１０Ａを、別のスキッド（第２載置台：以下、新スキッド１２Ｂと称する）に積載された新しい平版印刷版原版（第２合紙無し平版印刷版原版：以下、新平版印刷版原版１０Ｂと称する）上に積層して、平版印刷版原版を積み替える方法である。残平版印刷版原版１０Ａ、新平版印刷版原版１０Ｂのいずれも、当該原版間に合紙（間紙）を入れて包装されていない、即ち、直接原版同士が接触して積載されて包装される所謂、合紙無し平版印刷版原版である。
【００１６】
なお、この積み替え作業は、例えば２人作業で実施し、平版印刷版原版の取り扱いには、布手袋を着用することがよい。
【００１７】
まず、図１（Ａ）に示すように、ＣＴＰ製版システムから、残平版印刷版原版１０Ａが積載された残スキッド１２Ａを取り出し、準備する。また、新平版印刷版原版１０Ｂが積載された新スキッド１２Ｂを開封し、準備する。この新平版印刷版原版１０Ｂの最上面には、平版印刷版原版を保護する当てボール１４が載せてある。
【００１８】
次に、図１（Ｂ）に示すように、新スキッド１２Ｂに積載された新平版印刷版原版１０Ｂ上に載せてある当てボール１４を持ち上げ、取り出す。そして、取り出した当てボール１４を、残スキッド１２Ａに積載された残平版印刷版原版１０Ａの最上面に載せる。
【００１９】
次に、図１（Ｃ）に示すように、Ｌ字型の平版印刷版原版積み替え用治具１６を、新スキッド１２Ｂに積載された新平版印刷版原版１０Ｂの最表面に載せる。具体的には、例えば、平版印刷版原版積み替え用治具１６を、新平版印刷版原版１０Ｂの最表面の２つの長辺側の両端部（長手方向両端部）にそれぞれ載せる。このように、平版印刷版原版積み替え用治具１６は、新平版印刷版原版１０Ｂの最表面の一つの長辺側に２つ配置される。つまり、平版印刷版原版積み替え用治具１６は、新平版印刷版原版１０Ｂの最表面の四隅に位置するように４個を一組として載せられる。
【００２０】
なお、平版印刷版原版積み替え用治具１６は、４個に限られず、例えば、２つの長辺側にそれぞれ１つずつ載せる２個一組で用いる形態であってもよい。しかし、平版印刷版原版への傷抑制、及び作業性の点から、４個一組で用いることが好ましい。
【００２１】
平版印刷版原版積み替え用治具１６は、Ｌ字型であり、これにより形成される２つの内側の面がそれぞれ新平版印刷版原版１０Ｂの最表面と側面とが接触して載せられる。また、４個の平版印刷版原版積み替え用治具１６は、それぞれ新平版印刷版原版１０Ｂの最表面の長手方向に一定量突出するように載せられる。また、平版印刷版原版積み替え用治具１６は、新平版印刷版原版１０Ｂの最表面上で重ならないように載せられる。
【００２２】
ここで、平版印刷版原版積み替え用治具１６について詳細に説明する。平版印刷版原版積み替え用治具１６は、ポリプロピレンを含んで構成される部材である。
【００２３】
ポリプロピレンとしては、プロピレンの単独重合体、プロピレンと他のオレフィン、プロピレンとエチレン、ブタジエン等との共重合体などが治具の強度及び平版印刷版原版への傷抑制の点から好ましく用いられる。
【００２４】
ポリプロピレンの重量平均分子量としては、治具の強度及び平版印刷版原版への傷抑制の点から１００００以上４０００００以下が好ましく、より好ましくは５００００以上３０００００以下であり、さらに好ましくは１０００００以上２０００００以下である。
【００２５】
なお、平版印刷版原版積み替え用治具１６は、ポリプロピレンを主成分とするポリプロピレン製部材であることが治具の強度及び平版印刷版原版への傷抑制の点から好ましい。ポリプロピレンを「主成分」とするとは平版印刷版原版積み替え用治具１６がポリプロピレンを５０重量％以上含有することを意味する。なお、平版印刷版原版積み替え用治具１６は、効果を阻害しない範囲で、ポリプロピレン以外の任意の他の成分（例えばポリエチレン）を含んでいてもよい。
【００２６】
平版印刷版原版積み替え用治具１６は、図３及び図４に示すように、長方形の板状体を、その幅方向中央部より端部へ偏在させた、長手方向に沿った折り曲げ線Ｐ（図中、一点鎖線で標記）で折り曲げることで、Ｌ字型の部材として使用される。そして、折り曲げられたＬ字型の平版印刷版原版積み替え用治具１６は、幅が小さい方の折り曲げ部が平版印刷版原版の側面に当接される側面当接部１６Ａとなり、幅が大きい方の他方が平版印刷版原版の主面に当接される主面当接部１６Ｂとなる。
【００２７】
平版印刷版原版積み替え用治具１６の大きさは、平版印刷版原版の大きさによって調整される。具体的には、例えば、非折り曲げ時の短辺（折り曲げ部も含めた短手方向の全長さ）の長さＲ１は、治具を取り出すときの平版印刷版原版への傷抑制の点から、１２０ｍｍ〜１８０ｍｍが好ましく、１１０ｍｍ〜１７０ｍｍがより好ましい。また、平版印刷版原版積み替え用治具１６の側面当接部１６Ａ（折り曲げ部）の長さＲ２は、治具を取り出すときの平版印刷版原版への傷抑制の点から、２０〜７０ｍｍが好ましく、３０〜６０ｍｍが好ましい。一方、平版印刷版原版積み替え用治具１６の主面当接部１６Ｂの長さＲ３は、治具を取り出すときの平版印刷版原版への傷抑制の点から、９０〜１３０ｍｍが好ましく、１００〜１２０ｍｍが好ましい。
【００２８】
平版印刷版原版積み替え用治具１６の長辺Ｒ４（長手方向の長さ）は、平版印刷版原版の長手方向長さと冶具を幾つ用いるかによって決める。平版印刷版原版積み替え用治具１６を４個一組で用いる場合、平版印刷版原版積み替え用治具１６の長辺Ｒ４は、治具を取り出すときの平版印刷版原版への傷抑制の点から、４００〜７００ｍｍが好ましく、５００〜６００ｍｍがより好ましい。
【００２９】
平版印刷版原版積み替え用治具１６の厚みＲ５は、治具を取り出すときの平版印刷版原版への傷抑制、形状保持性及び繰り返し性（耐久性）の点から、０．３ｍｍ〜１．５ｍｍが好ましく、０．４ｍｍ〜１．０ｍｍが最も好ましい。
【００３０】
次に、図２（Ｄ）に示すように、残スキッド１２Ａに積載された残平版印刷版原版１０Ａを、原版の大きさに応じて数枚から数十枚（例えば、原版サイズが２Ｌ１Ｗサイズの場合は２０枚以下）を持ち上げて、取り分ける。この取り分けは、最表面に載せられた当てボール１４ごと行われる。
【００３１】
そして、取り分けた残平版印刷版原版１０Ａを、新スキッド１２Ｂ上に積載され新平版印刷版原版１０Ｂ上に載せ、四隅が合うように所定位置に合わせる。このように新平版印刷版原版１０Ｂ上に残平版印刷版原版１０Ａを積層し、積み替えを行う。
【００３２】
この積み替えを行う際には、平版印刷版原版積み替え用治具１６が新平版印刷版原版１０Ｂの最表面に載せられていることから、平版印刷版原版積み替え用治具１６が介在して残平版印刷版原版１０Ａは新平版印刷版原版１０Ｂは積層される。
【００３３】
次に、図２（Ｅ）に示すように、残平版印刷版原版１０Ａと新平版印刷版原版１０Ｂとの間に介在した平版印刷版原版積み替え用治具１６を抜き取り、取り外す。具体的には、例えば、残平版印刷版原版１０Ａがズレ無いように中央部を押さえつつ、残平版印刷版原版１０Ａの長辺側の一端部（長手方向一端部、つまり四隅のうちの一つ）を持ち上げる。そして、この状態で、静かに平版印刷版原版積み替え用治具１６を抜き取る。この作業を、４個の平版印刷版原版積み替え用治具１６につき、それぞれ同様にして行い、全ての平版印刷版原版積み替え用治具１６を抜き取り、取り外す。
【００３４】
平版印刷版原版積み替え用治具１６を抜き取った後、残平版印刷版原版１０Ａと新平版印刷版原版１０Ｂとの間に介在するエアー抜き等を行う。
【００３５】
そして、図２（Ｆ）に示すように、残スキッド１２Ａに積載された残平版印刷版原版１０Ａが無くなるまで、上記同様の作業を繰り返し行うことで、平版印刷版原版の積み替え作業が完了する。
【００３６】
以上、説明したように、本実施形態に係る平版印刷版原版の積み替え方法では、平版印刷版原版積み替え用治具１６を残平版印刷版原版１０Ａと新平版印刷版原版１０Ｂとの間に介在させて、当該原版同士を積層して残平版印刷版原版１０Ａを新平版印刷版原版１０Ｂへ積み替える。そして、この平版印刷版原版積み替え用治具１６が、ポリプロピレンを含んで構成させることで、その表面にゴミ等の付着が少なく、その形状保持性に優れ繰り返し使用にも耐える。このため、傷の発生を抑制しつつ、繰り返し安定して製版品質を維持して、平版印刷版原版の積み替え作業が行える。
【００３７】
（試験例）
以下、本実施形態に係る平版印刷版原版積み替え用治具１６の効果を実証するための試験例を示す。
【００３８】
−試験例１−
表１に示す製品をサンプルとして、繰り返し性、ゴミ付着性について評価した。この結果、ポリプロピレンを主成分とするクリーン当てボールが材質として最適であることがわかった。
【００３９】
・繰り返し性
繰り返し性は次のように評価した。部材をＬ字形に折り曲げ、感材積替え作業を繰り返し行い、形状の変化を目視評価した評価基準は以下の通りである。
○：部材の変化無し。
△：部材にキス゛発生、一部はがれる。
×：部材に破れが生じる。
【００４０】
・ゴミ付着性
ゴミ付着性は次のように評価した。部材と平版印刷版原版と擦り、または部材と部材を擦りゴミが付着するか、付着したゴミが取れ易いか取れ難いかを目視評価した。評価基準は以下の通りである。
○：ゴミが付着しない。
△：ゴミは付着するが少なく、取れ易い。
×：ゴミが付着し、取れ難い。
【００４１】
【表１】
2009083303.tif 000003
【００４２】
表１中の製品の詳細は以下の通りである。
・ＰＥＴベース：富士フィルム社製「ＰＥＴベース」
・保護用厚紙：「新聞古紙使用：厚０．８ｍｍ」
・ラミネート保護用厚紙：「上記新聞古紙両面に６０μｍ厚ポリエチレン配合のラミネート層塗設」
・  クリーン当てボール：アキレス社製「工業フィルム（Ｓａｔｉｓｆｉｎｅ用クリーン当てボール）」
【００４３】
−試験例２−
上記クリーン当てボールを材料として用い、表２に従って厚みＲ５を変更した平版印刷版原版積み替え用治具１６を作製し、繰り返し性、形状保持性について評価した。その結果、厚みＲ５は０．５ｍｍが最もよいことがわかった。なお、平版印刷版原版積み替え用治具のサイズは以下の通りである。
・非折り曲げ時の短辺の長さＲ１：１５０ｍｍ
・側面当接部１６Ａ（折り曲げ部）の長さＲ２：４０ｍｍ
・主面当接部１６Ｂの長さＲ３：１１０ｍｍ
・長辺の長さＲ４：５５０ｍｍ
【００４４】
・形状保持性
形状保持性は次のように評価した。非折り曲げ時から折り曲げＬ字状にする。その後、非折り曲げ状態に戻す。この作業を切り返してＬ字状の形状を何回保てるかを評価した。評価基準は以下の通りである。
○：Ｌ字状が２０回以上保てる。
△：Ｌ字状が５回から２０回保てる。
×：Ｌ字状が５回以下。
【００４５】
【表２】
2009083303.tif 000004
【００４６】
−試験例３−
上記クリーン当てボールを材料として用い、表３に従って主面当接部１６Ｂの長さＲ３を変更した平版印刷版原版積み替え用治具１６を作製し、積み替え作業の際の傷の発生具合について評価した。その結果、主面当接部１６Ｂの長さＲ３は、１１０ｍｍが最もよいことがわかった。なお、平版印刷版原版積み替え用治具のサイズは以下の通りである。
・非折り曲げ時の短辺の長さＲ１：１００、１５０、２００ｍｍ
・側面当接部１６Ａ（折り曲げ部）の長さＲ２：４０ｍｍ
・主面当接部１６Ｂの長さＲ３：６０、１１０、１６０ｍｍ
・厚みＲ５：０．５ｍｍ
【００４７】
・積み替え作業の際の傷の発生具合
上記実施形態と同様にして、残平版印刷版原版１０Ａを２０枚につき、積み替え作業を行った際、治具を取り出すときの傷発生（取り出し傷）、新平版印刷版原版１０Ｂ表面中央部の傷発生（中央部傷）について評価した。評価基準は以下の通りである。
○：傷発生無し。
△：傷が細く、発生本数が少ない。
×：傷が深く、発生本数が多い。
【００４８】
【表３】
2009083303.tif 000005
【００４９】
−試験例４−
以下に従って、平版印刷版原版積み替え用治具を作製し、これを用いて上記実施形態と同様にして積み替え作業を繰り返し行い、評価を行った
【００５０】
１．平版印刷版原版積み替え用治具
・材料：クリーン当てボール：アキレス社製「工業フィルム（Ｓａｔｉｓｆｉｎｅ用クリーン当てボール）」
・非折り曲げ時の短辺の長さＲ１：１５０ｍｍ
・側面当接部１６Ａ（折り曲げ部）の長さＲ２：４０ｍｍ
・主面当接部１６Ｂの長さＲ３：１１０ｍｍ
・長辺の長さＲ４：５４７ｍｍ
・厚みＲ５：０．５ｍｍ
２．平版印刷版原版（ＦＤ４４１（富士フイルム（株）製））
・積み替え枚数：２０枚
３．繰り返し再現性
・積み替え回数：２０回
４．評価方法
・積み替え用平版印刷版原版を載せた下部平版印刷版原版の全面露光、現像による傷評価を行った。
【００５１】
上記平版印刷版原版積み替え用治具を用いて、平版印刷版原版を２０回積み替えを行った結果、画像故障の発生無し、冶具の形状保持性とも問題なかった。
【図面の簡単な説明】
【００５２】
【図１】本実施形態に係る平版印刷版原版の積み替え方法を説明するための工程図である。
【図２】本実施形態に係る平版印刷版原版の積み替え方法を説明するための工程図である。
【図３】本実施形態に係る平版印刷版原版積み替え用治具（非折り曲げ時）を示す２面図であり、（Ａ）は側面図、（Ｂ）は平面図を示す。
【図４】本実施形態に係る平版印刷版原版積み替え用治具（折り曲げ時）を示す斜視図である。
【符号の説明】
【００５３】
１０Ａ 残平版印刷版原版
１０Ｂ 新平版印刷版原版
１２Ａ 残スキッド
１２Ｂ 新スキッド
１４   当てボール
１６   平版印刷版原版用治具
１６Ａ 側面当接部
１６Ｂ 主面当接部
【図１】
2009083303.tif 000006
【図２】
2009083303.tif 000007
【図３】
2009083303.tif 000008
【図４】
2009083303.tif 000009